(57)【要約】【課題】  意匠性に優れた安価な木製装飾品を提供することにある。【解決手段】  木製で、木目の意匠面を有する木製装飾品において、木目の各部分の塗料の吸い込み量の違いにより塗色濃淡を有する木目模様を有する木製床材を用い意匠面を形成してなることを特徴とし、また、異なる色彩又は異なる模様の木製床材を、継ぎ合わせて用いることを特徴とし、さらに、木製床材の継ぎ合わせ構造により継ぎ合わせられた木製床材を、部分的に交換可能に形成したことを特徴とする。【選択図】図１
2017000422.tif 000002
【特許請求の範囲】
【請求項１】
木製で、木目の意匠面を有する木製装飾品において、
該木目の各部分の塗料の吸い込み量の違いにより塗色濃淡を有する木目模様を有する木製床材を用い該意匠面を形成してなることを特徴とする木製装飾品。
【請求項２】
前記木製床材として、焼杉材を用いることを特徴とする請求項１記載の木製装飾品。
【請求項３】
前記木製床材の継ぎ合わせ構造により、該木製床材を継ぎ合わせて用いることを特徴とする請求項１又は請求項２記載の木製装飾品。
【請求項４】
異なる色彩又は異なる模様の前記木製床材を、継ぎ合わせて用いることを特徴とする請求項３記載の木製装飾品。
【請求項５】
前記木製床材の継ぎ合わせ構造により継ぎ合わせられた該木製床材を、部分的に交換可能に形成したことを特徴とする請求項３又は請求項４記載の木製装飾品。
【発明の詳細な説明】
【技術分野】
【０００１】
本発明は、木製で、木目の意匠面を有する木製装飾品に関する。
【背景技術】
【０００２】
従来より、額縁や写真立てのような装飾品で、木材で作られた木製装飾品が、用いられている。木製装飾品は、意匠面を形成する部分の木目を活かすことをコンセプトに、様々な形態が提案されている（例えば、特許文献１）。例えば、特許文献１の木製装飾品は、原木を光が透ける厚さで径方向に切断してなると共に外周面の一部に平面部が設けられた複数の板状部材を、夫々の平面部にて互いに突き合せて接合しているものである。
【先行技術文献】
【特許文献】
【０００３】
【特許文献１】特開２０１２−１２１１４１号公報
【発明の概要】
【発明が解決しようとする課題】
【０００４】
しかしながら、従来の木製装飾品では、材料の吟味が必要で、意匠面のバリエーションが乏しい、コストが高くなってしまうという課題がある。
【０００５】
本発明は、このような事情に鑑みてなされたもので、意匠性に優れた安価な木製装飾品を提供することにある。
【課題を解決するための手段】
【０００６】
請求項１記載の木製装飾品は、木目の各部分の塗料の吸い込み量の違いにより塗色濃淡を有する木目模様を有する木製床材を用い意匠面を形成してなることを特徴とする。
【０００７】
請求項２記載の木製装飾品は、木製床材として、焼杉材を用いることを特徴とする。
【０００８】
請求項３記載の木製装飾品は、木製床材の継ぎ合わせ構造により、木製床材を継ぎ合わせて用いることを特徴とする。
【０００９】
請求項４記載の木製装飾品は、異なる色彩又は異なる模様の木製床材を、継ぎ合わせて用いることを特徴とする。
【００１０】
請求項５記載の木製装飾品は、木製床材の継ぎ合わせ構造により継ぎ合わせられた木製床材を、部分的に交換可能に形成したことを特徴とする。
【発明の効果】
【００１１】
本願の発明によれば、木目の各部分の塗料の吸い込み量の違いにより塗色濃淡を有する木目模様を有する木製床材を用い意匠面を形成していることから、意匠性に優れ安価である。
【図面の簡単な説明】
【００１２】
【図１】本発明に係る木製装飾品の一例を示す斜視図である。
【図２】本発明に係る木製装飾品の他の一例を示す斜視図である。
【図３】本発明に係る木製装飾品のさらに他の一例を示す斜視図である。
【図４】本発明に係る木製装飾品に用いる木製床材の一例を示す説明である。
【発明を実施するための形態】
【００１３】
以下、本発明の形態について図面を参照しながら具体的に説明する。図１は、本発明に係る木製装飾品の一例を示す斜視図である。図２は、本発明に係る木製装飾品の他の一例を示す斜視図である。図３は、本発明に係る木製装飾品のさらに他の一例を示す斜視図である。図４は、本発明に係る木製装飾品に用いる木製床材の一例を示す説明である。
【００１４】
本発明の形態における木製装飾品１，２，３は、図１〜図３にあるように、木製で、木目の意匠面１２，２２，３２を有するもので、例えば、図に示すように、写真立て、色紙額、短冊額等である（図１の木製装飾品１が写真立てで、図２の木製装飾品２が色紙（短冊状）の色紙額で、図３の木製装飾品３が短冊額）。尚、以下の説明では、木製装飾品として、木製装飾品１，２，３を例に説明するが、写真立て、色紙額、短冊額に限られるものではなく、様々な木製装飾品が含まれる。あくまでも一例であるが、置物、花器、貯金箱、壁掛け、額縁等がある。
【００１５】
木製装飾品１，２，３で用いられる木製の材料は、木目の各部分の塗料の吸い込み量の違いにより塗色濃淡を有する木目模様を有するもので、特に、床材として用いられるものを用いる。すなわち、木製装飾品１，２，３は、木製床材１０，２０，３０によって構成され、そして、木製装飾品１，２，３の呈する塗料の吸い込み量の違いにより塗色濃淡を有する木目模様によって、意匠面１２，２２，３２が形成されている。
【００１６】
このような構成の木製装飾品１，２，３は、木目の各部分の塗料の吸い込み量の違いにより塗色濃淡を有する木目模様を有する木製床材を用い意匠面を形成していることから、意匠性に優れている。また、本来、建築物の床材として専ら用いられる木製床材を、装飾品の素材として活用することで、コストを抑えることも可能である。尚、意匠面１２，２２，３２の木目模様に一層バリエーションを持たせる等の趣旨から、木製床材１０，２０，３０として、焼杉材を用いることも可能である。
【００１７】
木製装飾品１，２，３を作りあげるにあたっては、木製床材１０，２０，３０の継ぎ合わせ構造により、木製床材１０，２０，３０を継ぎ合わせて用いるようにすればよい。具体的には、例えば、木製床材１０，２０，３０の継ぎ合わせ構造である本実加工ある。図４に示すように、木製床材４０，５０の表面は、木目模様の意匠面４２，５２になっており、木製床材４０の長手方向の一方の側面には、凸状の実部４４があり、また、この木製床材４０の長手方向の一方の側面に継ぎ合わされる木製床材５０の長手方向の他方の側面には、凹状の穴部５８が設けられている。この木製床材４０の実部４４と木製床材５０の穴部５８とが嵌合して、木製床材４０と木製床材５０とが継ぎ合わされる。
【００１８】
尚、図４の例では、木製床材４０，５０の長手方向の継ぎ合わせも、同様な本実加工（穴部４６，５６を有する）で行えばよい。継ぎ合わせの方法としては、本実加工に限られるものではなく、相決り加工等、他の方法であってもよい。
【００１９】
また、木製装飾品１，２，３を、一色の木製床材１０，２０，３０で作りあげるのではなく、異なる色彩又は異なる模様の木製床材を継ぎ合わせて形成させることも可能である。このように、色彩や模様の異なる木製床材を用いることで、意匠性に優れた意匠面１２，２２，３２を形成することができる。
【００２０】
さらに、木製装飾品１，２，３を構成する木製床材１０，２０，３０を、接着して継ぎ合わせてもよいが、木製床材１０，２０，３０の継ぎ合わせ構造により継ぎ合わせられた木製床材１０、２０、３０を、部分的に交換可能にすることも可能である。交換可能にすることにより、使用途中でも木製装飾品１，２，３に意匠面１２，２２，３２の形態を変えることが可能になる。特に、交換にあたっては、色彩や模様が異なる木製床材１０，２０，３０に入れ替えることで、意匠面１２，２２，３２の意匠性を大きく変えることも可能となる。
【産業上の利用可能性】
【００２１】
以上のように、本発明は、このような事情に鑑みてなされたもので、意匠性に優れた安価な木製装飾品を提供することにある。
【符号の説明】
【００２２】
１・・・・木製装飾品
２・・・・木製装飾品
３・・・・木製装飾品
１０・・・木製床材
１２・・・意匠面
２０・・・木製床材
２２・・・意匠面
３０・・・木製床材
３２・・・意匠面
４０・・・木製床材
４２・・・意匠面
４４・・・実部
４６・・・穴部
５０・・・木製床材
５２・・・意匠面
５６・・・穴部
５８・・・穴部
【図１】
2017000422.tif 000003
【図２】
2017000422.tif 000004
【図３】
2017000422.tif 000005
【図４】
2017000422.tif 000006